(57)【要約】燃料電池システムは、複数台の燃料電池スタック（１Ａ〜１Ｃ）と、燃料電池スタック（１Ａ〜１Ｃ）と１対１で対応する複数台のパワーコントローラ（２Ａ〜２Ｃ）とを備える。燃料電池システムは、負荷に応じて燃料電池スタック（１）の稼働台数が変更され、複数台のパワーコントローラ（２Ａ〜２Ｃ）のうちの１台のみがマスタのパワーコントローラに設定され、それ以外がスレーブのパワーコントローラに設定される。マスタのパワーコントローラと接続された燃料電池スタックの運転時間よりも、スレーブのパワーコントローラに接続された燃料電池スタックの運転時間が長くなるように、マスタとなるパワーコントローラが設定される。
2017038061.tif 000002
【特許請求の範囲】
【請求項１】
水素含有ガス及び酸化剤ガスを用いて発電する複数台の燃料電池スタックと、
前記複数台の燃料電池スタックそれぞれと１対１で対応して接続され、前記複数台の燃料電池スタックが発電した電力を取り出す複数台のパワーコントローラと、
前記複数台の燃料電池スタック及び前記複数台のパワーコントローラのうち、少なくともいずれかの稼働台数が、駆動させる負荷に応じて変更されるよう、前記複数台の燃料電池スタック及び前記複数台のパワーコントローラの稼働を制御する制御器とを備え、
前記複数台のパワーコントローラのうちの１台のみがマスタのパワーコントローラに設定され、
前記複数台のパワーコントローラのうちの前記マスタのパワーコントローラ以外のパワーコントローラがスレーブのパワーコントローラに設定され、
前記複数台の燃料電池スタックのうち、前記マスタのパワーコントローラと接続された燃料電池スタックの運転時間よりも、前記スレーブのパワーコントローラに接続された燃料電池スタックの運転時間が長くなるように、前記制御器により、前記マスタのパワーコントローラが設定されるよう構成された燃料電池システム。
【請求項２】
前記マスタのパワーコントローラに接続された前記燃料電池スタックの前記運転時間と、前記スレーブのパワーコントローラに接続された前記燃料電池スタックの前記運転時間との差が、所定時間以上になると、前記複数台の燃料電池スタックのうちの運転停止中の燃料電池スタックを発電させ、前記複数台のパワーコントローラのうち、前記複数台の燃料電池スタックのうちの最も運転時間の短い燃料電池スタックに接続されたパワーコントローラが、前記マスタのパワーコントローラに設定されるよう構成されている請求項１に記載の燃料電池システム。
【請求項３】
水素含有ガス及び酸化剤ガスを用いて発電する複数台の燃料電池スタックと、
前記複数台の燃料電池スタックそれぞれと１対１で対応して接続され、前記複数台の燃料電池スタックが発電した電力を取り出す複数台のパワーコントローラと、
前記複数台の燃料電池スタック及び前記複数台のパワーコントローラの稼働台数が、駆動させる負荷の大きさに応じて変更されるよう、前記複数台の燃料電池スタック及び前記複数台のパワーコントローラの稼動を制御する制御器と、
前記複数台の燃料電池スタックそれぞれの電圧を計測する電圧計測部とを備え、
前記複数台のパワーコントローラのうちの１台のみが前記マスタのパワーコントローラに設定され、
前記複数台のパワーコントローラのうち、前記マスタのパワーコントローラ以外のパワーコントローラがスレーブのパワーコントローラに設定され、
前記複数台の燃料電池スタックのうち、前記マスタのパワーコントローラと接続された燃料電池スタックの前記電圧が所定値を下回る場合は、前記制御器により、前記マスタのパワーコントローラが、前記複数台のパワーコントローラのうちの別のパワーコントローラに設定されるよう構成された燃料電池システム。
【請求項４】
前記複数台のパワーコントローラは、系統連携インバータで構成され、前記スレーブのパワーコントローラは、単独運転検知をしないよう構成されている請求項１から３のいずれか１項に記載の燃料電池システム。
【請求項５】
水素含有ガス及び酸化剤ガスを用いて発電する複数台の燃料電池スタックと、前記複数台の燃料電池スタックそれぞれと１対１で対応して接続され、前記複数台の燃料電池スタックそれぞれが発電した電力を取り出す複数台のパワーコントローラとを有する燃料電池システムを複数台備え、
前記複数台の燃料電池システムは、互いに連動して動作するよう構成され、
前記複数台の燃料電池システムが有する前記複数台のパワーコントローラのうちの１台のみが、マスタのパワーコントローラに設定されるよう、前記複数台の燃料電池スタック及び複数台のパワーコントローラを制御する集合体制御器を備えた燃料電池システムの集合体。
【請求項６】
前記集合体制御器は、前記複数台の燃料電池システムの中の前記複数台のパワーコントローラの中で、前記複数台の燃料電池スタックのうち最も運転時間が短い燃料電池スタックと接続されたパワーコントローラを、前記マスタのパワーコントローラに設定するよう構成された請求項５に記載の燃料電池システムの集合体。
【発明の詳細な説明】
【技術分野】
【０００１】
本発明は、燃料電池スタックが複数台搭載された燃料電池システム及びその集合体に関する。
【背景技術】
【０００２】
近年、一戸建て住宅及び集合住宅などに設置されて使用される家庭用燃料電池システムが知られている。この家庭用燃料電池システムは、家庭で消費する電力をまかなうように構成され、その発電出力は例えば０．７〜１ｋＷと小さい。【０００３】
そこで、このような家庭用燃料電池システムを利用して、例えば、３〜５ｋＷの発電出力を得るために、複数の燃料電池スタックを並列に接続して発電出力を得る燃料電池システムが提案されている（例えば、特許文献１参照）。【０００４】
図７は、特許文献１に記載された従来の発電システムの構成のブロック図である。図７に示すように、燃料電池システムなどの発電システム３００は、直流電源６Ａ〜６Ｃ及びパワーコントローラ２Ａ〜２Ｃから構成されている。【０００５】
直流電源６Ａ〜６Ｃは、燃料電池スタックなどの直流電力を出力する発電装置であり、直流電源６Ａ〜６Ｃが供給する直流電力をインバータなどのパワーコントローラ２Ａ〜２Ｃにより交流電力に変換し、電力系統と接続している。【０００６】
従来の発電システム３００は、電力系統連携運転を行う際、電力系統が停電した場合に、パワーコントローラ２Ａ〜２Ｃが単独で運転する状態を回避するため、発電システム３００側で停電を検出して運転を停止するなどの対応を実施する必要がある。そこで、パワーコントローラ２Ａ〜２Ｃのうち、最初に起動したパワーコントローラ１台がマスタに設定され、そのマスタのパワーコントローラが単独運転検出をしている。【０００７】
これにより、複数台のパワーコントローラがそれぞれ単独運転検出を行うことによる相互干渉などから単独運転状態を検出できない不具合を防止している。【０００８】
しかしながら、上記のような従来の発電システムの構成では、マスタに設定されたパワーコントローラは、常に単独運転状態を検出する必要があるため、マスタに設定されたパワーコントローラと接続される直流電源である燃料電池スタックは、運転時間が長くなってしまう。【０００９】
また、上記のような従来の発電システムの構成では、運転時間が長くなるほど燃料電池スタックが劣化することが考慮されていないため、マスタのパワーコントローラに接続された燃料電池スタックが最も劣化し、他のパワーコントローラに接続された燃料電池スタックが正常であっても、マスタのパワーコントローラに接続された燃料電池スタックの耐久寿命が来ると、燃料電池システムが使えなくなってしまう課題を有している。【００１０】
また、燃料電池システムにて発電された電力を、電力会社などから供給される系統電力と接続させる場合には、系統電力が停電などにより断たれた場合に、燃料電池システムについて、単独運転を検知する必要がある。単独運転検知は、パワーコントローラにより実施されるが、複数台のパワーコントローラが同時に単独運転検知を実施すると、相互干渉などから単独運転状態を検出できない不具合が発生する可能性がある。
【先行技術文献】
【特許文献】
【００１１】
【特許文献１】特許第４２１７６４４号公報
【発明の概要】
【００１２】
本発明は、上記のような従来の課題に鑑みてなされたものであり、マスタのパワーコントローラ及びスレーブのパワーコントローラが設けられることにより、単独運転状態を検出できない不具合を防止するとともに、特定の燃料電池スタックの劣化が進み、燃料電池システムの寿命が短くなることを防止する燃料電池システム及びその集合体を提供する。
【００１３】
具体的には、本発明の実施の形態の一例による燃料電池システムは、水素含有ガス及び酸化剤ガスを用いて発電する複数台の燃料電池スタックと、複数台の燃料電池スタックそれぞれと１対１で対応して接続され、複数台の燃料電池スタックが発電した電力を取り出す複数台のパワーコントローラとを備える。さらに、本発明の実施の形態の一例による燃料電池システムは、複数台の燃料電池スタック及び複数台のパワーコントローラの稼働台数が、駆動させる負荷に応じて変更されるよう、複数台の燃料電池スタック及び複数台のパワーコントローラの稼働を制御する制御器とを備える。本発明の実施の形態の一例による燃料電池システムは、複数台のパワーコントローラのうちの１台のみがマスタのパワーコントローラに設定され、マスタ以外のパワーコントローラがスレーブのパワーコントローラに設定される。また、本発明の実施の形態の一例による燃料電池システムは、マスタのパワーコントローラと接続された燃料電池スタックの運転時間よりも、スレーブのパワーコントローラに接続された燃料電池スタックの運転時間が長くなるように、複数台のパワーコントローラの中からマスタとなるパワーコントローラが設定されるよう構成されている。
【００１４】
このような構成により、マスタのパワーコントローラに接続された燃料電池スタックの運転時間を、スレーブのパワーコントローラに接続された燃料電池スタックの運転時間と同等の時間に抑えることが可能となり、マスタのパワーコントローラに接続された燃料電池スタックだけが他の燃料電池スタックに比べて劣化が進み、燃料電池システムの寿命が短くなることを防止することができる。また、燃料電池システムが有するパワーコントローラのうち、１台だけがマスタのパワーコントローラとして単独運転検知を行うよう構成されているため、燃料電池システムが単独運転を検知できない不具合が発生することを防止しながら、燃料電池スタックの運転時間を平準化することができ、燃料電池システムの寿命が短くなることを防止できる。
【００１５】
また、本発明の実施の形態の一例による燃料電池システムは、マスタのパワーコントローラに接続された燃料電池スタックの運転時間と、スレーブのパワーコントローラに接続された燃料電池スタックの運転時間との差が所定時間以上になった場合は、運転停止中の燃料電池スタックを発電させ、最も運転時間の短い燃料電池スタックに接続されたパワーコントローラがマスタのパワーコントローラに設定されるよう構成されていてもよい。このような構成により、マスタのパワーコントローラに接続された燃料電池スタックの運転時間が、他の燃料電池スタックの運転時間に比べて、所定時間を越えて長くなることを防止でき、特定の燃料電池スタックの劣化が進み、燃料電池システムの寿命が短くなることを防止できる。
【００１６】
また、本発明の実施の形態の一例による燃料電池システムは、水素含有ガス及び酸化剤ガスを用いて発電する複数台の燃料電池スタックと、複数台の燃料電池スタックそれぞれと１対１で対応して接続され、複数台の燃料電池スタックが発電した電力を取り出す複数台のパワーコントローラとを備える。さらに、本発明の実施の形態の一例による燃料電池システムは、複数台の燃料電池スタック及び複数台のパワーコントローラの稼働台数が、駆動させる負荷の大きさに応じて変更されるよう、複数台の燃料電池スタック及び複数台のパワーコントローラの稼動を制御する制御器と、複数台の燃料電池スタックそれぞれの電圧を計測する電圧計測部とを備える。本発明の実施の形態の一例による燃料電池システムにおいて、制御器により、複数台のパワーコントローラのうちの１台のみがマスタのパワーコントローラに設定され、マスタ以外のパワーコントローラがスレーブのパワーコントローラに設定されている。また、本発明の実施の形態の一例による燃料電池システムは、マスタのパワーコントローラと接続された燃料電池スタックの電圧が所定値を下回る場合は、制御器により、マスタのパワーコントローラが複数台のパワーコントローラのうちの別のパワーコントローラに設定されるよう構成されている。このような構成により、マスタのパワーコントローラに接続された燃料電池スタックの劣化状態を電圧により確認することができる。劣化が進んでいるようであれば、マスタのパワーコントローラを変更することで、マスタのパワーコントローラに接続された燃料電池スタックの劣化が他の燃料電池スタックに比べて極端に進むことを防止し、燃料電池システムの寿命が短くなることを防ぐことができる。
【００１７】
また、本発明の実施の形態の一例による燃料電池システムは、パワーコントローラが系統連携インバータで構成され、スレーブのパワーコントローラは単独運転検知をしないよう構成されていてもよい。このような構成により、燃料電池システム内の複数台のパワーコントローラそれぞれが単独運転検知を行うことによる相互干渉などにより単独運転状態を検出できない不具合を防止することができる。
【００１８】
また、本発明の実施の形態の一例による燃料電池システムの集合体は、水素含有ガス及び酸化剤ガスを用いて発電する複数台の燃料電池スタックと、複数台の燃料電池スタックそれぞれと１対１で対応して接続され、燃料電池スタックが発電した電力を取り出す複数台のパワーコントローラを有する燃料電池システムを複数台備える。本発明の実施の形態の一例による燃料電池システムの集合体は、複数台の燃料電池システムが互いに連動して動作するよう構成されている。また、本発明の実施の形態の一例による燃料電池システムの集合体は、複数台の燃料電池システムが有する複数台のパワーコントローラのうちの１台のみがマスタのパワーコントローラとなるよう、複数台の燃料電池スタック及び複数台のパワーコントローラを制御する集合体制御器を備える。このような構成により、複数台の燃料電池システムが互いに連動して動作する燃料電池システムの集合体において、複数台の燃料電池システムそれぞれに個別にマスタのパワーコントローラが設けられる必要が無く、燃料電池システムの集合体として１台のマスタのパワーコントローラを持つことができる。このため、複数台の燃料電池システムの各々が単独運転検知を行う場合に生じる相互干渉などにより単独運転状態を検出できない不具合を防止することが可能となる。
【００１９】
さらに、燃料電池システムの集合体において、マスタとして設定されるパワーコントローラが１台になるよう構成されていることにより、マスタのパワーコントローラを持たない燃料電池システムの運転時間を抑制することができ、複数台の燃料電池システム全てがそれぞれマスタのパワーコントローラを有する場合に比べて、複数台の燃料電池システムの寿命が短くなることを防止できる。
【００２０】
また、本発明の実施の形態の一例による燃料電池システムの集合体は、集合体制御器が、複数台の燃料電池システムそれぞれのパワーコントローラの中で、最も運転時間が短い燃料電池スタックと接続されたパワーコントローラをマスタとなるパワーコントローラに設定するよう構成されていてもよい。このような構成により、燃料電池システムの集合体として、特定の燃料電池スタックの運転時間が長くなることを防止し、各燃料電池スタックの運転時間を平準化することができ、燃料電池システムの集合体の寿命が短くなることを防止できる。
【図面の簡単な説明】
【００２１】
【図１】図１は、本発明の実施の形態１における燃料電池システムの構成を示すブロック図である。
【図２】図２は、本発明の実施の形態１における燃料電池システムの運転方法を示すフローチャートである。
【図３】図３は、本発明の実施の形態２における燃料電池システムの構成を示すブロック図である。
【図４】図４は、本発明の実施の形態２における燃料電池システムの運転方法を示すフローチャートである。
【図５】図５は、本発明の実施の形態３における燃料電池システムの集合体の構成を示すブロック図である。
【図６】図６は、本発明の実施の形態３における燃料電池システムの集合体の運転方法を示すフローチャートである。
【図７】図７は、従来の発電システムの構成を示すブロック図である。
【発明を実施するための形態】
【００２２】
以下、本発明の実施の形態について、図面を参照しながら説明する。なお、以下の実施の形態によって本発明が限定されるものではない。
【００２３】
（実施の形態１）
図１は、本発明の実施の形態１における燃料電池システムのブロック図を示す。
【００２４】
図１において、燃料電池システム１００は、燃料電池スタック１Ａ，１Ｂ，１Ｃと、パワーコントローラ２Ａ，２Ｂ，２Ｃと、制御器３とを備える。
【００２５】
燃料電池スタック１Ａ〜１Ｃは、水素含有ガス及び酸化剤ガスを用いて発電するよう構成されている。水素含有ガス及び酸化剤ガスは、それぞれの供給装置（図示せず）により供給される。なお、本実施の形態では、水素含有ガスとしては純水素ガスが用いられ、酸化剤ガスとしては空気が用いられている。燃料電池スタックとしては、固体高分子型燃料電池が用いられている。
【００２６】
パワーコントローラ２Ａ〜２Ｃは、それぞれ、燃料電池スタック１Ａ〜１Ｃに１対１で対応して接続され、対応する燃料電池スタック１Ａ〜１Ｃが発電した電力を取り出す。本実施の形態では、パワーコントローラ２Ａ〜２Ｃとして、それぞれ、燃料電池スタック１Ａ〜１Ｃが発電した直流電力を交流電力に変換するインバータが用いられている。
【００２７】
制御器３は、燃料電池システム１００を制御するための制御機能を有するものであればよく、演算処理部（図示せず）と、制御プログラムを記憶する記憶部（図示せず）とを備える。演算処理部としては、例えばＣＰＵが用いられる。記憶部としては、例えばメモリが用いられる。
【００２８】
固体高分子型燃料電池は、一般的に、ＭＥＡ（Ｍｅｍｂｒａｎｅ  Ｅｌｅｃｔｒｏｄｅ  Ａｓｓｅｍｂｌｙ）がセパレータで挟持された構造を有する。ＭＥＡは、一般的には、ガス拡散層、カソード触媒層、固体高分子電解質膜、アノード触媒層、及び、ガス拡散層が積層された構造を有する。電池反応は、触媒と、触媒を担持する担体と、アイオノマ（イオン伝導性高分子）とからなる触媒層において進行する。
【００２９】
燃料電池スタック１Ａ〜１Ｃは、運転時間が長くなるほど劣化し、劣化により電圧が低下することが知られている。劣化の原因は、一般的に、大気中に含まれる不純物成分によるカソード触媒層の被毒、及び、燃料ガスに含まれる不純物成分によるアノード触媒層の被毒などによる電極構造の変化である。
【００３０】
燃料電池スタック１Ａ〜１Ｃの電極構造が変化すると、ガスの拡散性及び生成水の排出性が低下して、電圧が低下する。燃料電池スタック１Ａ〜１Ｃの電圧低下が進むと、燃料電池スタック１Ａ〜１Ｃにて必要な電力を出力することができなくなり、燃料電池スタック１Ａ〜１Ｃの耐久的な寿命が尽きることとなる。
【００３１】
また、燃料電池スタック１Ａ〜１Ｃの運転時間が長くなると、燃料電池スタック１Ａ〜１Ｃが出力する電圧は低下するが、この運転時間とは、燃料電池スタック１Ａ〜１Ｃそれぞれが発電している時間である。
【００３２】
ここで、複数の同一要素に対して付された参照符号について説明しておく。例えば「燃料電池スタック１Ａ〜１Ｃ」の場合、添え字の「Ａ」、「Ｂ」及び「Ｃ」は、同一要素を互いに区別するために付されたものであり、「Ａ」、「Ｂ」及び「Ｃ」の３個の燃料電池スタック１を意味している。
【００３３】
以下の説明では、任意の燃料電池スタック１を示す場合には、添え字を省略して参照符号「１」のみを付し、「燃料電池スタック１」と表記する。この場合、燃料電池スタック１は、１台もしくは複数台を示す。この記載の仕方は、パワーコントローラ２についても同様である。
【００３４】
燃料電池システム１００では、発電する電力量に応じて、燃料電池スタック１の発電台数が変更される。燃料電池システム１００で発電する電力量が少ない場合は、全ての燃料電池スタック１にて発電するのではなく、発電する電力量を得るために必要最少の台数の燃料電池スタック１にて発電する。また、発電する電力量が多い場合には、より多くの台数（発電する電力量の大きさによっては全ての台数）の燃料電池スタック１を用いて発電する。
【００３５】
上述のとおり、燃料電池システム１００にて発電された電力を、電力会社などから供給される系統電力と接続させる場合には、系統電力が停電などにより断たれた場合に、燃料電池システム１００について、単独運転を検知する必要がある。
【００３６】
単独運転検知は、パワーコントローラ２により実施されるが、複数台のパワーコントローラ２が同時に単独運転検知を実施すると、相互干渉などから単独運転状態を検出できない不具合が発生する可能性がある。
【００３７】
そこで、単独運転検知を行うパワーコントローラ２を１台のみとすることで、安定して単独運転状態が検知可能となる。単独運転検知を行うパワーコントローラ２がマスタのパワーコントローラ２に設定され、それ以外のパワーコントローラ２がマスタに従属するスレーブのパワーコントローラ２に設定される。
【００３８】
マスタのパワーコントローラ２は、燃料電池システム１００が発電している間は、常に単独運転検知を行う必要があるため、燃料電池システム１００が発電する際は、マスタのパワーコントローラ２に接続された燃料電池スタック１が発電する必要がある。
【００３９】
このため、マスタのパワーコントローラ２が特定のパワーコントローラ２に固定されてしまうと、そのパワーコントローラ２に接続された燃料電池スタック１の運転時間が他の燃料電池スタック１よりも長くなってしまい、特定の燃料電池スタック１のみ劣化が進んでしまう。そうなると、特定の燃料電池スタック１が寿命に達した時点で、燃料電池システム１００を運転することができなくなってしまう。
【００４０】
そこで、マスタのパワーコントローラ２が別のパワーコントローラ２に変更されるように、マスタとなるパワーコントローラ２を設定する必要がある。
【００４１】
マスタのパワーコントローラ２を別のパワーコントローラ２に設定するタイミングは、本実施の形態では、燃料電池スタック１の運転時間に基づき、制御器３により設定される。
【００４２】
以上のように構成された燃料電池システム１００について、以下その動作及び作用を、図２を参照しながら説明する。
【００４３】
図２は、本発明の実施の形態１の燃料電池システムの運転方法を示すフローチャートである。図２のフローチャートに示す動作(ステップＳ)は、制御器３の制御によって実行される。
【００４４】
図２に示すように、制御器３は、燃料電池システム１００に電源が投入された時点を燃料電池システム１００の運転のスタートとし、常時以下の動作を行う。なお、現在のマスタのパワーコントローラ２が、パワーコントローラ２Ａであるとして以下説明を行う。
【００４５】
制御器３は、マスタのパワーコントローラ２Ａに接続された燃料電池スタック１Ａの運転時間Ｔｍ１の情報を取得するとともに、スレーブのパワーコントローラ２に接続された燃料電池スタック１のうち、最も運転時間が短い燃料電池スタック１（ここでは、例えば、燃料電池スタック１Ｂとする）の運転時間Ｔｓ１の情報を取得する（ステップＳ１０１）。
【００４６】
次に、制御器３は、燃料電池スタック１Ａの運転時間と燃料電池スタック１Ｂの運転時間との差ΔＴ１を、Ｔｍ１からＴｓ１を引くことで算出する（ステップＳ１０２）。また、制御器３は、算出されたΔＴ１が所定時間以上（ステップＳ１０３）であれば、現在運転停止中の燃料電池スタック１（ここでは、燃料電池スタック１Ｂ）を発電開始させる（ステップＳ１０４）。
【００４７】
ここで、本実施の形態では、所定時間は５時間に設定されている。また、ステップＳ１０２にて算出されたΔＴ１が所定時間である５時間未満（ステップＳ１０３でＮｏ）であれば、ステップＳ１０１に戻り、再びステップＳ１０１以下の動作が行われる。ステップＳ１０４にて、燃料電池スタック１Ｂが発電開始した後、最も運転時間の短い燃料電池スタック１である燃料電池スタック１Ｂに接続されたパワーコントローラ２Ｂが、マスタのパワーコントローラ２に設定される（ステップＳ１０５）。
【００４８】
ステップＳ１０１からステップＳ１０５までの制御は、燃料電池スタック１が発電するのに要する時間よりも長い時間周期で実施される。例えば、本実施の形態では、５分周期で制御が実施されるように、タイマが設定され、タイマをスタートさせる（ステップＳ１０６）。次に、タイマが５分経過するまで待ち（ステップＳ１０７）、５分経過すれば、タイマをストップさせて（ステップＳ１０８）、ステップＳ１０１に戻り、再びステップＳ２０１以下の動作が行われる。
【００４９】
このような構成（制御）により、マスタのパワーコントローラ２に接続された燃料電池スタック１の運転時間が、他の燃料電池スタック１の運転時間よりも所定時間（例えば５時間）を上回って長くならないように、マスタとなるパワーコントローラ２を変更することができる。
【００５０】
また、最も運転時間が短い燃料電池スタック１に接続されたパワーコントローラ２が、新たに設定されるマスタのパワーコントローラ２となるよう構成されていることにより、全ての燃料電池スタック１の運転時間を平準化することができる。このように、特定の燃料電池スタック１だけが劣化することを防止することができ、燃料電池システム１００として、寿命を延ばすことが可能となる。
【００５１】
なお、燃料電池スタック１及びパワーコントローラ２は、複数台であれば３台に限らず、何台であっても構わない。
【００５２】
また、燃料電池スタック１Ａ〜１Ｃは、固体高分子型燃料電池に限らず、いずれの種類であってもよく、例えば、固体酸化物形燃料電池、及び、燐酸形燃料電池などが用いられる。
【００５３】
なお、燃料電池スタック１Ａ〜１Ｃでの発電に用いられる水素含有ガスは、都市ガス及びＬＰＧなどの炭化水素系原料が改質されて生成されたものであっても構わないし、純水素ガスであっても構わない。
【００５４】
なお、パワーコントローラ２Ａ〜２Ｃは、直流電力を交流電力に変換するインバータに限られるものではなく、直流電力を別電圧の直流電力に変換するものであっても構わない。
【００５５】
なお、燃料電池システム１００が発電する電力量は、燃料電池システム１００が設置された住宅及び商業施設などの電力負荷に応じて変更されても構わないし、ある発電パターンに則り変更されても構わない。燃料電池システム１００において発電電力量を変更することができれば、如何なる条件により電力量が変更されても構わない。
【００５６】
また、運転時間とは、累積の発電時間であってもよいし、連続発電時間であっても構わない。さらに、燃料電池スタック１が発電している時間に限らず、燃料電池スタック１に酸化剤ガスが供給されている時間、及び、燃料電池スタック１に水素含有ガスが供給されている時間などでもよい。
【００５７】
なお、パワーコントローラ２を変更するためにステップＳ１０３で用いられる所定時間は、５時間に限られず、特定の燃料電池スタック１が劣化しなければ如何なる時間であっても構わない。ただし、所定時間が短い時間に設定されると、燃料電池スタック１が起動停止を頻繁に繰り返す可能性があるため、秒単位及び分単位ではなく、時間単位が望ましい。
【００５８】
なお、燃料電池システム１００において、図２のフローチャートの動作は、燃料電池システム１００に電源が投入された時点を燃料電池システム１００の運転のスタートとし、常時行われても構わないし、起動中及び発電中に実施されても構わないし、発電中のみ実施されても構わない。
【００５９】
なお、燃料電池システム１００において、発電中にステップＳ１０４が実行される場合は、発電を開始する燃料電池スタック１は、最も運転時間が短い燃料電池スタック１となる。
【００６０】
燃料電池システム１００が発電を継続する中で、燃料電池スタック１Ａ〜１Ｃの運転時間に差が生じるのは、少なくとも一つ以上の燃料電池スタック１が運転停止しており、停止している燃料電池スタック１の運転時間とマスタのパワーコントローラ２に接続された燃料電池スタック１の運転時間との間に差が生じるためである。
【００６１】
また、ステップＳ１０５にて、マスタのパワーコントローラ２の設定が変更された場合は、燃料電池システム１００は、変更前のマスタのパワーコントローラ２に接続されていた燃料電池スタック１の運転を停止させるよう構成されていることが望ましい。このように構成されていることで、運転時間が長くなっていた燃料電池スタック１の運転時間が延びることを抑えることができる。
【００６２】
さらに、本実施の形態における燃料電池システム１００は、燃料電池スタック１が並列に接続されているが、これに限られず、直列に接続されていてもよい。
【００６３】
なお、本実施の形態では、過渡的に、マスタのパワーコントローラ２に接続された燃料電池スタック１の運転時間が、スレーブのパワーコントローラ２に接続された燃料電池スタック１の運転時間よりも長くなるが、マスタのパワーコントローラ２が設定される際に、マスタのパワーコントローラ２に接続された燃料電池スタック１が最も運転時間が短い燃料電池スタック１となるので、燃料電池スタック１の耐久上問題はない。
【００６４】
なお、マスタのパワーコントローラ２が設定されるタイミングは、上記に限られることはなく、燃料電池システム１００において、制御器３が、常に、マスタのパワーコントローラ２に接続された燃料電池スタック１の運転時間が燃料電池スタック１の中で一番長くなることがないように、燃料電池スタック１及びパワーコントローラ２の稼動を制御するよう構成されていても構わない。
【００６５】
（実施の形態２）
本発明の実施の形態２における燃料電池システムの構成について、図３を用いて説明する。図３は、本発明の実施の形態２における燃料電池システムの構成を示すブロック図である。なお、本実施の形態において、実施の形態１と同様の構成要素については、同一符号を付与し、その説明はここでは省略する。
【００６６】
図３に示すように、本実施の形態の燃料電池システム１００は、燃料電池スタック１Ａ〜１Ｃのそれぞれの電圧を計測する電圧計測部４Ａ，４Ｂ，４Ｃを備える点で、実施の形態１と異なっている。
【００６７】
電圧計測部４は、燃料電池スタック１の電圧を計測できればよく、本実施の形態では、燃料電池スタック１が出力する総電圧を計測する電圧計が用いられている。
【００６８】
本実施の形態における燃料電池システム１００を構成する各機器の動作については、制御器３が、マスタのパワーコントローラ２に接続された燃料電池スタック１の運転時間ではなく、燃料電池スタック１の電圧を用いて、マスタのパワーコントローラ２を他のスレーブのパワーコントローラ２に変更する制御を行う点が実施の形態１と異なる。その他の各機器の動作は、実施の形態１と同様であるため説明を省略する。
【００６９】
燃料電池スタック１は、運転時間が経過するなどで劣化が進むと、出力する電圧が低下する。本実施の形態では、燃料電池スタック１の現在の電圧の絶対値から、燃料電池スタック１の劣化状態を判断する。
【００７０】
以上のように構成された本実施の形態の燃料電池システム１００について、以下その動作及び作用を、図４を参照しながら説明する。
【００７１】
図４は、本発明の実施の形態２の燃料電池システム１００の運転方法を示すフローチャートである。図４に示すフローチャートの燃料電池システム１００の動作（ステップＳ）は、制御器３の制御によって実行される。図４に示すように、制御器３は、燃料電池システム１００に電源が投入された時点を燃料電池システム１００の運転のスタートとし、常時以下の動作を行う。
【００７２】
まず、現在のマスタのパワーコントローラ２は、パワーコントローラ２Ａであるとして以下説明を行う。
【００７３】
制御器３は、マスタのパワーコントローラ２Ａに接続された燃料電池スタック１Ａの電圧Ｖを、電圧計測部４Ａにより計測し、電圧Ｖの情報を取得する（ステップＳ２０１）。電圧Ｖが所定値を下回る（ステップＳ２０２でＹｅｓ）場合は、運転停止中の燃料電池スタック１を発電開始させる（ステップＳ２０３）。最も電圧が高い燃料電池スタック１が運転停止中である場合は、その燃料電池スタック１を発電開始させる。また、電圧Ｖが所定値以上である（ステップＳ２０２でのＮｏ）場合は、ステップＳ２０１に戻り、再びステップＳ２０１以下の動作を行う。
【００７４】
制御器３は、ステップＳ２０３を実施した後、最も電圧が高い燃料電池スタック１（ここでは、例えば、燃料電池スタック１Ｂとする）に接続されたパワーコントローラ２（ここでは、パワーコントローラ２Ｂとする）をマスタのパワーコントローラ２に設定する（ステップＳ２０４）。
【００７５】
ステップＳ２０１からステップＳ２０４までの制御は、燃料電池スタック１が発電するのに要する時間よりも長い時間周期で実施される。例えば、本実施の形態では、制御器３により、５分周期で制御されるように、タイマが設定され、タイマをスタートさせる（ステップＳ２０５）。次に、制御器３は、タイマが５分経過するまで待ち（ステップＳ２０６）、５分経過すれば（ステップＳ２０６でＹｅｓ）、タイマをストップさせて（ステップＳ２０７）、ステップＳ２０１に戻り、再びステップＳ２０１以降の動作が実行される。
【００７６】
以上のように、本実施の形態において、マスタのパワーコントローラ２に接続された燃料電池スタック１の電圧が、所定値を大きく下回るような状態にならないように、マスタのパワーコントローラ２が変更される。
【００７７】
また、上述したように、最も電圧が高く劣化が進んでいない燃料電池スタック１に接続されたパワーコントローラ２が、新たに設定されるマスタのパワーコントローラ２に設定されるように構成されていることで、全ての燃料電池スタック１の劣化の進行度合いを平準化することができる。
【００７８】
このように、本実施の形態の燃料電池システム１００は、特定の燃料電池スタック１だけが劣化することを防止することができ、燃料電池システム１００の寿命を延ばすことが可能となる。
【００７９】
なお、電圧計測部４は、燃料電池スタック１が両端から出力する総電圧を計測するよう構成されていても構わない。また、電圧計測部４は、燃料電池スタック１が有する各セルの電圧を個別に計測するよう構成されていても構わない。また、電圧計測部４は、燃料電池スタック１を代表する１つのセルの電圧を計測するよう構成されていても構わない。電圧計測部４にて計測された電圧を用いて、燃料電池スタック１の劣化状態を把握することができれば、燃料電池スタック１の如何なる電圧が計測されるよう構成されていても構わない。
【００８０】
また、燃料電池スタック１の劣化を判断する手段としては、燃料電池スタック１の電圧の絶対値だけに限られず、運転開始初期からの電圧の低下量及び低下率などでも構わない。燃料電池スタック１の電圧を用いて、燃料電池スタック１の劣化状態を検知できれば、如何なる手段であっても構わない。
【００８１】
なお、ステップＳ２０２で用いられる所定値は、常に一定ではなく、運転状態に応じて変更されることが望ましい。例えば、最も電圧が高い燃料電池スタック１の電圧値よりも一定量少ない電圧値に設定されることなどが望ましい。
【００８２】
また、ステップＳ２０４にて最も電圧が高い燃料電池スタック１を選ぶ際に、燃料電池スタック１それぞれの現在の発電時の電圧が用いられても構わないし、前回発電時に計測された電圧値が用いられても構わない。最も劣化が進んでいない燃料電池スタック１を選定することができれば如何なるタイミングの電圧が用いられても構わない。
【００８３】
（実施の形態３）
本発明の実施の形態３における燃料電池システムの集合体の構成について、図５を用いて説明する。
【００８４】
図５は、本発明の実施の形態３における燃料電池システムの集合体の構成を示すブロック図である。図５に示すように、本実施の形態の燃料電池システムの集合体２００は、実施の形態１の燃料電池システム１００複数集合させたものであり、上記の点以外は、実施の形態１と同様である。
【００８５】
以下、実施の形態１と異なる点を中心に説明する。
【００８６】
本実施の形態の燃料電池システムの集合体２００における燃料電池システム１００Ａ，１００Ｂ，１００Ｃを構成する各機器は、実施の形態１と同様であるため、実施の形態１と同様の構成要素については、同一符号を付与し、その説明はここでは省略する。
【００８７】
符号の付与の仕方として、燃料電池システム１００Ａ〜１００Ｃのうち、どの燃料電池システム１００が備える機器であるかを明確化するために、符号の最後に、燃料電池システム１００Ａ〜１００Ｃそれぞれに対応して、ａ〜ｃが付与されている。例えば、燃料電池システム１００Ｃに備えられている燃料電池スタック１Ｂは、燃料電池スタック１Ｂｃと記載する。
【００８８】
燃料電池スタック１と記載されている場合は、燃料電池スタック１のいずれかに限定されるものではなく、燃料電池スタック１のいずれか一つ及び複数のいずれをも意味する。燃料電池スタック１Ｂと記載されている場合は、燃料電池システム１００Ａ〜１００Ｃのいずれであるかは特定されないが、燃料電池システム１００Ａ〜１００Ｃのいずれかの燃料電池スタック１Ｂを意味し、その数は、一つ及び複数のいずれの場合も含まれる。燃料電池スタック１Ｂｃなどのように記載されている場合は、燃料電池システム１００Ａ〜１００Ｃのいずれか一つ（例えば、燃料電池システム１００Ｃ）の、燃料電池スタック１のいずれか一つ（例えば、燃料電池スタック１Ｂｃ）に特定されることを意味する。
【００８９】
燃料電池システム１００Ａは、燃料電池スタック１Ａａ，１Ｂａ，１Ｃａと、パワーコントローラ２Ａａ，２Ｂａ，２Ｃａと、制御器３ａとを備える。燃料電池システム１００Ｂは、燃料電池スタック１Ａｂ，１Ｂｂ，１Ｃｂと、パワーコントローラ２Ａｂ，２Ｂｂ，２Ｃｂと、制御器３ｂとを備える。燃料電池システム１００Ｃは、燃料電池スタック１Ａｃ，１Ｂｃ，１Ｃｃと、パワーコントローラ２Ａｃ，２Ｂｃ，２Ｃｃと、制御器３ｃとを備える。
【００９０】
集合体制御器５は、燃料電池システムの集合体２００を制御するための制御機能を有するものであればよく、演算処理部（図示せず）と、制御プログラムを記憶する記憶部（図示せず）とを備える。演算処理部としては、例えば、ＣＰＵが用いられる。記憶部としては、例えば、メモリが用いられる。
【００９１】
燃料電池システムの集合体２００は、燃料電池システム１００Ａと燃料電池システム１００Ｂと燃料電池システム１００Ｃとを集合させて構成されており、燃料電池システム１００（燃料電池システム１００Ａ，１００Ｂ，１００Ｃ）それぞれにて発電された電力は、まとめて、燃料電池システムの集合体２００の外部に供給される。
【００９２】
燃料電池システムの集合体２００にて発電された電力を、電力会社などから供給される系統電力と接続する場合には、系統電力が停電などにより断たれた場合に、燃料電池システムの集合体２００が単独で運転している状態であるかを検知（単独運転検知）する必要がある。
【００９３】
単独運転検知は、パワーコントローラ２により実施されるが、複数台のパワーコントローラ２が同時に単独運転検知を実施すると、相互干渉などから単独運転状態を検出できない不具合が発生する可能性がある。
【００９４】
本実施の形態の燃料電池システムの集合体２００においては、単独運転検知を行うパワーコントローラ２が、燃料電池システムの集合体２００の中で１台のみに設定されるよう構成されている。このような構成により、安定して単独運転状態を検知することが可能となる。単独運転検知を行うパワーコントローラ２は、マスタのパワーコントローラ２として設定され、それ以外のパワーコントローラ２は、マスタに従属するスレーブのパワーコントローラ２として設定される。
【００９５】
マスタのパワーコントローラ２は、燃料電池システムの集合体２００が発電している間は、常に単独運転検知を行う必要があるため、燃料電池システムの集合体２００が発電する際は、マスタのパワーコントローラ２に接続された燃料電池スタック１が発電する必要がある。
【００９６】
このため、マスタのパワーコントローラ２が特定のパワーコントローラ２に固定されてしまうと、そのパワーコントローラ２に接続された燃料電池スタック１の運転時間が他の燃料電池スタック１よりも長くなってしまい、特定の燃料電池スタック１のみ劣化が進んでしまう。そうなると、特定の燃料電池スタック１が寿命に達した時点で、燃料電池システムの集合体２００は、運転することができなくなってしまう。
【００９７】
そこで、特定の燃料電池スタック１の劣化が進む前に、マスタのパワーコントローラ２が別のパワーコントローラ２に変更されるように、マスタのパワーコントローラ２が設定される必要がある。
【００９８】
マスタのパワーコントローラ２が別のパワーコントローラ２に設定されるタイミングとして、本実施の形態では、燃料電池スタック１の運転時間が用いられている。
【００９９】
以上のように構成された燃料電池システムの集合体２００について、以下その動作及び作用を、図６を参照しながら説明する。
【０１００】
図６は、本発明の実施の形態３の燃料電池システムの集合体の運転方法を示すフローチャートである。図６に示すフローチャートの動作は、集合体制御器５の制御によって実行される。
【０１０１】
図６に示すように、集合体制御器５は、燃料電池システムの集合体２００に電源が投入された時点を燃料電池システムの集合体２００の運転のスタートとし、常時以下の動作を行う。
【０１０２】
まず、集合体制御器５は、マスタのパワーコントローラ２（ここでは、例えば、パワーコントローラ２Ｃｃとする）に接続された燃料電池スタック１（ここでは、燃料電池スタック１Ｃｃ）の運転時間Ｔｍ２の情報を取得するとともに、燃料電池システムの集合体２００の中で最も運転時間が短い燃料電池スタック１（ここでは、例えば、燃料電池スタック１Ａｂとする）の運転時間Ｔｓ２の情報を取得する（ステップＳ３０１）。
【０１０３】
次に、集合体制御器５は、運転時間Ｔｍ２と運転時間Ｔｓ２との差ΔＴ２（以下、運転時間差ΔＴ２と記す）を、Ｔｍ２からＴｓ２を引いて算出する（ステップＳ３０２）。次に、運転時間差ΔＴ２が所定時間以上であるか確認する（ステップＳ３０３）。運転時間差ΔＴ２が所定時間以上であれば（ステップＳ３０３でＹｅｓ）、ステップＳ３０４に移行し、運転時間差ΔＴ２が所定時間未満であれば、ステップＳ３０１に戻り、ステップＳ３０１以降の動作が行われる。ここで、本実施の形態では、所定時間は５時間に設定されている。
【０１０４】
集合体制御器５は、ステップＳ３０４に移行した場合、最も運転時間が短い燃料電池スタック１Ａｂを発電開始させる（ステップＳ３０４）。燃料電池スタック１が発電開始した後、最も運転時間の短い燃料電池スタック１Ａｂに接続されたパワーコントローラ２Ａｂがマスタのパワーコントローラ２に設定される（ステップＳ３０５）。これにより、マスタのパワーコントローラ２は、パワーコントローラ２Ｃｃからパワーコントローラ２Ａｂに変更されることができる。
【０１０５】
ステップＳ３０１からステップＳ３０５までの制御は、燃料電池スタック１が発電するのに要する時間よりも長い時間周期で実施される。例えば、本実施の形態では、５分周期で制御されるように、タイマが設定され、タイマをスタートさせる（ステップＳ３０６）。次に、タイマが５分経過するまで待ち（ステップＳ３０７）、５分経過すれば（ステップＳ３０７でＹｅｓ）、タイマをストップさせて（ステップＳ３０８）、ステップＳ３０１に戻り、再びステップＳ３０１以降の動作が実施される。
【０１０６】
以上のように、本実施の形態においては、マスタのパワーコントローラ２に接続された燃料電池スタック１の運転時間が、他の燃料電池スタック１の運転時間よりも所定時間を上回って長くならないように、マスタのパワーコントローラ２が変更される。
【０１０７】
また、最も運転時間が短い燃料電池スタック１に接続されたパワーコントローラ２が、新たに設定されるマスタのパワーコントローラ２となるように構成されていることにより、全ての燃料電池スタック１の運転時間を平準化することができる。このように、本実施の形態の特定の燃料電池スタック１だけが劣化することを防止することができるので、燃料電池システムの集合体２００の寿命を延ばすことが可能となる。
【０１０８】
なお、燃料電池システムの集合体２００を構成する燃料電池システム１００の台数は、本実施の形態では３台としたが、これに限られるものではなく、複数台であれば如何なる台数の燃料電池システム１００の集合体として、燃料電池システムの集合体２００が構成されていても構わない。また、燃料電池スタック１それぞれに対して、水素含有ガス及び酸化剤ガスを供給する手段は、水素含有ガス及び酸化剤ガスを安定して供給可能であれば如何なる構成であっても構わない。例えば、燃料電池システムの集合体２００は、燃料電池スタック１それぞれがポンプなどの供給手段を備えてもよい。また、燃料電池システムの集合体２００は、燃料電池システム１００それぞれがポンプなどの供給手段を備え、燃料電池システム１００それぞれの内で水素含有ガス及び酸化剤ガスが分岐されて燃料電池スタック１それぞれに供給されるよう構成されていてもよい。また、燃料電池システムの集合体２００において、共通の水素含有ガス及び酸化剤ガスの供給手段が設けられ、共通の水素含有ガス及び酸化剤ガスの供給手段から供給された水素含有ガス及び酸化剤ガスが、燃料電池システムの集合体２００内で分岐されて燃料電池スタック１それぞれに供給されるよう構成されていても構わない。
【０１０９】
なお、本実施の形態では、燃料電池システムの集合体２００が、燃料電池システム１００それぞれが制御器３を備え、さらに、燃料電池システムの集合体２００全体を制御するための集合体制御器５を備える構成を例示しているが、燃料電池システムの集合体２００は、制御器３が燃料電池システム１００毎に個別に配置されず、集合体制御器５が全てを制御するよう構成されていても構わない。この場合、燃料電池システム１００それぞれの制御器３は、マスタのパワーコントローラの設定に関わる制御は行わない。
【０１１０】
なお、本実施の形態では、マスタのパワーコントローラ２が変更される条件として、燃料電池スタック１の運転時間が用いられているが、これに限られるものではなく、燃料電池スタック１の劣化状態を把握できるものであれば如何なる条件であっても構わない。例えば、燃料電池スタック１の電圧などであってもよい。
【０１１１】
また、運転時間は、累積の発電時間であってもよいし、連続発電時間であってもよい。さらに、燃料電池スタック１が発電している時間に限られず、燃料電池スタック１に酸化剤ガスが供給されている時間、または、燃料電池スタック１に水素含有ガスが供給されている時間などでもよい。
【０１１２】
ステップＳ３０１で最も運転時間が短い燃料電池スタック１を特定する方法としては、燃料電池システム１００それぞれにおいて最も運転時間が短い燃料電池スタック１を特定し、それらの燃料電池スタック１の中で最も運転時間が短いものを特定する方法であってもよい。また、燃料電池システムの集合体２００における全ての燃料電池スタック１を比較し、最も運転時間が短いものを特定する方法であっても構わない。燃料電池システムの集合体２００において、最も運転時間が短い燃料電池スタック１を特定することができれば、如何なる方法であっても構わない。
【０１１３】
なお、図６のフローチャートに示す動作（ステップＳ）は、燃料電池システムの集合体２００に電源が投入された時点をスタートとし、常時を行われても構わないし、起動及び発電中に実施されても構わないし、発電中のみ実施されても構わない。
【０１１４】
なお、パワーコントローラ２を変更するためにステップＳ３０３で用いられる所定時間は、特定の燃料電池スタック１が劣化しなければ如何なる時間であっても構わない。ただし、所定時間が短い時間に設定されると、燃料電池スタック１が起動停止を頻繁に繰り返す可能性があるため、秒単位及び分単位などではなく、時間単位で設定されることが望ましい。
【０１１５】
上記の説明から、当業者にとっては、本発明の多くの改良及び他の実施の形態が明らかである。従って、上記説明は、例示としてのみ解釈されるべきであり、本発明を実行する最良の態様を当業者に教示する目的で提供されたものである。本発明の精神を逸脱することなく、その構造及び機能の詳細を実質的に変更できる。
【０１１６】
本発明の実施の形態の一例である燃料電池システム及びその集合体は、複数台の燃料電池スタック及び複数台のパワーコントローラを有していても、安定した系統連系運転をすることができ、停電が発生した場合は、単独運転を検知することが可能である。
【０１１７】
さらに、特定の燃料電池スタックの運転時間だけが長くなることが抑制され、複数台の燃料電池スタックの運転時間を平準化することができるため、特定の燃料電池スタックのみが劣化することを防止し、燃料電池システム及びその集合体の寿命が短くなることを予防することができる。
【産業上の利用可能性】
【０１１８】
以上述べたように、本発明は、特定の燃料電池スタックのみが他の燃料電池スタックに比べて劣化することを防止することが可能な燃料電池システム及びその集合体を提供する。よって、長期間にわたり安定した発電を行うような家庭用及び業務用の燃料電池システム等の用途に広く利用することができる。
【符号の説明】
【０１１９】
１，１Ａ，１Ｂ，１Ｃ    燃料電池スタック
１Ａａ，１Ａｂ，１Ａｃ，１Ｂａ，１Ｂｂ，１Ｂｃ，１Ｃａ，１Ｃｂ，１Ｃｃ    燃料電池スタック
２，２Ａ，２Ｂ，２Ｃ    パワーコントローラ
２Ａａ，２Ａｂ，２Ａｃ，２Ｂａ，２Ｂｂ，２Ｂｃ，２Ｃａ，２Ｃｂ，２Ｃｃ    パワーコントローラ
３，３ａ，３ｂ，３ｃ    制御器
４，４Ａ，４Ｂ，４Ｃ    電圧計測部
５    集合体制御器
１００，１００Ａ，１００Ｂ，１００Ｃ    燃料電池システム
２００    燃料電池システムの集合体
【図１】
2017038061.tif 000003
【図２】
2017038061.tif 000004
【図３】
2017038061.tif 000005
【図４】
2017038061.tif 000006
【図５】
2017038061.tif 000007
【図６】
2017038061.tif 000008
【図７】
2017038061.tif 000009
【手続補正書】
【提出日】平成30年2月16日(2018.2.16)
【手続補正１】
【補正対象書類名】明細書
【補正対象項目名】００４６
【補正方法】変更
【補正の内容】
【００４６】
次に、制御器３は、燃料電池スタック１Ａの運転時間と燃料電池スタック１Ｂの運転時間との差ΔＴ１を、Ｔｍ１からＴｓ１を引くことで算出する（ステップＳ１０２）。また、制御器３は、算出されたΔＴ１が所定時間以上（ステップＳ１０３でＹｅｓ）であれば、現在運転停止中の燃料電池スタック１（ここでは、燃料電池スタック１Ｂ）を発電開始させる（ステップＳ１０４）。
【手続補正２】
【補正対象書類名】明細書
【補正対象項目名】００４８
【補正方法】変更
【補正の内容】
【００４８】
ステップＳ１０１からステップＳ１０５までの制御は、燃料電池スタック１が発電するのに要する時間よりも長い時間周期で実施される。例えば、本実施の形態では、５分周期で制御が実施されるように、タイマが設定され、タイマをスタートさせる（ステップＳ１０６）。次に、タイマが５分経過するまで待ち（ステップＳ１０７）、５分経過すれば、タイマをストップさせて（ステップＳ１０８）、ステップＳ１０１に戻り、再びステップＳ１０１以下の動作が行われる。
【手続補正３】
【補正対象書類名】特許請求の範囲
【補正対象項目名】全文
【補正方法】変更
【補正の内容】
【特許請求の範囲】
【請求項１】
水素含有ガス及び酸化剤ガスを用いて発電する複数台の燃料電池スタックと、
前記複数台の燃料電池スタックそれぞれと１対１で対応して接続され、前記複数台の燃料電池スタックが発電した電力を取り出す複数台のパワーコントローラと、
前記複数台の燃料電池スタック及び前記複数台のパワーコントローラのうち、少なくともいずれかの稼働台数が、駆動させる負荷に応じて変更されるよう、前記複数台の燃料電池スタック及び前記複数台のパワーコントローラの稼働を制御する制御器とを備え、
前記複数台のパワーコントローラのうちの１台のみがマスタのパワーコントローラに設定され、
前記複数台のパワーコントローラのうちの前記マスタのパワーコントローラ以外のパワーコントローラがスレーブのパワーコントローラに設定され、
前記複数台の燃料電池スタックのうち、前記マスタのパワーコントローラと接続された燃料電池スタックの運転時間よりも、前記スレーブのパワーコントローラに接続された燃料電池スタックの運転時間が長くなるように、前記制御器により、前記マスタのパワーコントローラが設定されるよう構成された燃料電池システム。
【請求項２】
前記マスタのパワーコントローラに接続された前記燃料電池スタックの前記運転時間と、前記スレーブのパワーコントローラに接続された前記燃料電池スタックの前記運転時間との差が、所定時間以上になると、前記複数台の燃料電池スタックのうちの運転停止中の燃料電池スタックを発電させ、前記複数台のパワーコントローラのうち、前記複数台の燃料電池スタックのうちの最も運転時間の短い燃料電池スタックに接続されたパワーコントローラが、前記マスタのパワーコントローラに設定されるよう構成されている請求項１に記載の燃料電池システム。
【請求項３】
水素含有ガス及び酸化剤ガスを用いて発電する複数台の燃料電池スタックと、
前記複数台の燃料電池スタックそれぞれと１対１で対応して接続され、前記複数台の燃料電池スタックが発電した電力を取り出す複数台のパワーコントローラと、
前記複数台の燃料電池スタック及び前記複数台のパワーコントローラの稼働台数が、駆動させる負荷の大きさに応じて変更されるよう、前記複数台の燃料電池スタック及び前記複数台のパワーコントローラの稼動を制御する制御器と、
前記複数台の燃料電池スタックそれぞれの電圧を計測する電圧計測部とを備え、
前記複数台のパワーコントローラのうちの１台のみがマスタのパワーコントローラに設定され、
前記複数台のパワーコントローラのうち、前記マスタのパワーコントローラ以外のパワーコントローラがスレーブのパワーコントローラに設定され、
前記複数台の燃料電池スタックのうち、前記マスタのパワーコントローラと接続された燃料電池スタックの前記電圧が所定値を下回る場合は、前記制御器により、前記マスタのパワーコントローラが、前記複数台のパワーコントローラのうちの別のパワーコントローラに設定されるよう構成された燃料電池システム。
【請求項４】
前記複数台のパワーコントローラは、系統連携インバータで構成され、前記スレーブのパワーコントローラは、単独運転検知をしないよう構成されている請求項１から３のいずれか１項に記載の燃料電池システム。
【請求項５】
水素含有ガス及び酸化剤ガスを用いて発電する複数台の燃料電池スタックと、前記複数台の燃料電池スタックそれぞれと１対１で対応して接続され、前記複数台の燃料電池スタックそれぞれが発電した電力を取り出す複数台のパワーコントローラとを有する燃料電池システムを複数台備え、
前記複数台の燃料電池システムは、互いに連動して動作するよう構成され、
前記複数台の燃料電池システムが有する前記複数台のパワーコントローラのうちの１台のみが、マスタのパワーコントローラに設定されるよう、前記複数台の燃料電池スタック及び複数台のパワーコントローラを制御する集合体制御器を備えた燃料電池システムの集合体。
【請求項６】
前記集合体制御器は、前記複数台の燃料電池システムの中の前記複数台のパワーコントローラの中で、前記複数台の燃料電池スタックのうち最も運転時間が短い燃料電池スタックと接続されたパワーコントローラを、前記マスタのパワーコントローラに設定するよう構成された請求項５に記載の燃料電池システムの集合体。
【国際調査報告】
2017038061.tif 000010
2017038061.tif 000011
2017038061.tif 000012
2017038061.tif 000013